(57)【要約】【課題】カメラ付き携帯電話機で音声通話モード、テレビ電話通信モード、テレビ放送閲覧モードを切り替える場合、複雑な操作を必要とするため、適切なタイミングでの切り替えができない。【解決手段】カメラ４０１と、フレームメモリ４０２と、ディスプレー４０３と、操作キー４０４と、表示制御部４０５と、呼処理制御部４０６と全体制御部４０７と、無線部４０８と、状態管理部２０９と、電池残量検出部２１０を備え、カメラで撮影した使用者の画像データの焦点ずれ、明暗偏差から使用者と携帯電話機の距離を判定することにより、例えば使用者の耳がカメラの至近距離であるときは音声通話モードに切り替え、使用者の耳がカメラの遠距離であるときではテレビ電話通信モードという携帯電話機の使用状態にあった適切な通信モードに切り替える。判定には電波強度や電池残量も考慮される。【選択図】図1
2007228351.tif 000002
【特許請求の範囲】
【請求項１】
少なくともカメラを有し、音声通話モードとテレビ電話通信モードを含む複数の通信モードを切り替える機能を備えた携帯電話機において、
前記カメラに入力された画像から前記カメラと被写体が近づいたか離れたかを判定する状態管理部と、
前記状態管理部の判定結果により前記複数の通信モードを切り替える呼処理制御部とを備え、
テレビ電話中に前記判定結果について、被写体がカメラに近づいたと判定した場合には音声通話モードに切り替え、音声通話中に被写体がカメラから遠ざかったと判定した場合にはテレビ電話通信モードに切り替えるようにしたことを特徴とする携帯電話機。
【請求項２】
前記状態管理部が、前記カメラに入力された画像の画像データを数値化し、前記状態管理部に予め格納した閾値と比較し、比較結果により前記カメラと被写体が近づいたか離れたかを判定し、判定結果を前記呼処理部に伝えることにより、前記呼処理制御部が通信モードを選択するよう構成した請求項１に記載の携帯電話機。
【請求項３】
少なくともカメラを有し、音声通話モードとテレビ放送閲覧モードを含む複数の動作モードを切り替える機能を備えた携帯電話機において、
前記カメラに入力された画像から前記カメラと被写体が近づいたか離れたかを判定するとともに動作状態を監視する状態管理部と、
前記状態管理部の判定結果により前記複数の動作モードを切り替える全体制御部とを備え、
前記状態管理部には記憶手段を設け、前記記憶手段には前記カメラと被写体が近づいたか離れたかを判定する手順を記憶するとともに、切り替えた動作モードの履歴を逐次記憶するようにしておき、
テレビ放送閲覧モード動作中に着信があったときに前記カメラと被写体が近づいたと判定したときは、前記状態管理部がテレビ放送閲覧モードから音声通話モードに切り替える指示を出し、その後に音声通話が終了し、かつ前記カメラと被写体が離れたと判定したときには、テレビ放送閲覧モードに切り替えるようにしたことを特徴とする携帯電話機。
【請求項４】
前記状態管理部に電波強度に関連付けた複数の閾値を備え、
前記複数の閾値の中から携帯電話機の無線部で受信した電波強度のデータに対応した閾値を選択して、選択した前記閾値を用いて前記カメラと被写体が近づいたか離れたかを判定するようにした請求項１ないし請求項３のいずれかに記載の携帯電話機。
【請求項５】
携帯電話の電池残量データを検出して前記状態管理部に送る電池残量検出部を更に設け、前記状態管理部に電池残量に関連付けた複数の閾値を備え、
前記複数の閾値の中から前記電池残量検出部から送られてきた電池残量データに対応した閾値を選択して、選択した前記閾値を用いて前記カメラと被写体が近づいたか離れたかを判定するようにした請求項１ないし請求項４のいずれかに記載の携帯電話機。
【発明の詳細な説明】
【技術分野】
【０００１】
本発明は、携帯電話機に関し、特に、携帯電話機本体を操作することなく、音声通話モード、テレビ電話通信モードやテレビ放送閲覧モードなどの通信モードの切り替えを自動的に行う通信モード自動切替機能付き携帯電話機に関する。
【背景技術】
【０００２】
近年、携帯電話機へのテレビ電話通信機能の搭載により、テレビ電話の使用頻度が高くなってきているが、テレビ電話中に画像の伝送を望まない場合や、電波状態や電池残量に応じて部分的に音声電話通信やテレビ電話通信を行いたい場合がある。また、テレビ放送を受信する機能を持った携帯電話機で、テレビ放送閲覧中にテレビ電話または音声電話の着信を受けた場合、それぞれの通信モードに切り替えて応答する必要がある。このような場合、従来の技術では、通信モードを切り替える携帯電話機に具備する操作キーの操作により、所望の通信モードに切り替えていた（例えば、特許文献１参照）。
【０００３】
図５に従来の携帯電話機４００の構成を一例として示す。携帯電話機４００は画像を取り込むためのカメラ４０１と、画像データを一次保存するためのフレームメモリ４０２と、カメラ４０１から入力された画像データおよび通信相手からの画像データおよび操作指示案内等々の画像データを表示するディスプレー４０３と、カメラ４０１から入力した画像データおよび通信相手からの画像データおよび操作指示案内等々の画像データを制御、選択する表示制御部４０５と、携帯電話機４００の操作を指示するための操作キー４０４と、操作結果に基づいて、表示制御部４０５および呼処理制御部４０６に携帯電話機の動作を指示する全体制御部４０７と、全体制御部４０７からの指示により、定められた通信プロトコルで基地局との通信を行う呼処理制御部４０６と、無線送受信のための無線部４０８、そして全体制御部４０７の制御のもとテレビ放送信号を受信するテレビ受信部４０９を設けている。また、全体制御部４０７にはスピーカ４１０とマイクロフォン４１１を接続して、受信した音声の出力と送信する音声の入力ができるようにしている。
【０００４】
携帯電話機４００によりテレビ電話通信モードを音声通話モードに切り替える場合、および音声通話モードをテレビ電話通信モードに切り替える場合、またはテレビ放送閲覧中に着信を受け、音声通話モードに切り替えて応答する場合など通信モードを切り替えるときは、操作キー４０４の操作により全体制御部４０７から呼処理制御部４０６、無線部４０８を通して基地局との通信により切り替えを行っていた。
【０００５】
例えば、操作キー４０４によりテレビ電話通信モードを選択すると、携帯電話機４００の全体制御部４０７は呼処理制御部４０６に指示を出し、テレビ電話の画像信号と音声信号を無線部４０８で受信し、全体制御部４０７によりスピーカ４１０に受信した音声を出力し、ディスプレー４０３に受信した画像を表示する。また、カメラ４０１で取り込んだ画像とマイクロフォン４１１で取り込んだ音声を無線部４０８より送信し、テレビ電話通信を行う。
【０００６】
次に操作キー４０４により音声通話モードに切り替えると、呼処理制御部４０６は音声のみで通信する制御に切り替えを行い、受信した音声をスピーカ４１０に出力し、マイクロフォン４１１で取り込んだ音声を送信し、音声通話を行う。
【０００７】
更に操作キー４０４によりテレビ放送閲覧モードに切り替えると、全体制御部４０７は呼処理制御部４０６に動作中の音声通話またはテレビ電話通信を停止させ、代わりにテレビ受信部４０９を起動して、テレビ放送信号を受信する。テレビ受信部４０９は、テレビ
アンテナで受信したテレビ放送信号をテレビ音声とテレビ画像に分け、全体制御部４０７を介してテレビ音声をスピーカ４１０に、テレビ画像をディスプレー４０３にそれぞれ出力する。
【０００８】
そして、テレビ放送閲覧モード中に着信を受け、操作キー４０４により音声通話モードに切り替えると、テレビ受信部４０９の動作を停止させ、代わりに呼処理制御部４０６は音声通話モードを起動して、受信した音声をスピーカ４１０に出力し、マイクロフォン４１１で取り込んだ音声を送信し、音声通話を行う。
【特許文献１】特開平７−３０８７２号公報（第５ページ、図５）
【発明の開示】
【発明が解決しようとする課題】
【０００９】
前記従来の携帯電話機では、操作キー４０４による操作で切り替えを行うため、手動による複数の段階的な操作を要し、円滑に通信モードの変更が行えないという課題があった。また、あわてて操作キー４０４を誤操作することにより、所望の通信モードに切り替えられないという課題があった。また、受信電波強度、電池残量状態を考慮しないままテレビ電話通信モードを選択し、通信品質の低下や電池切れを早めてしまうといった課題があった。
【００１０】
本発明は、テレビ電話通信モードと音声通話モード、あるいはテレビ放送受信モードを使用状態に応じて自動的に切り替えることができる携帯電話機を提供することを目的としている。
【課題を解決するための手段】
【００１１】
本発明は、上記課題を解決するために、音声通話モードに加え、カメラとディスプレーを使用してテレビ電話を行うテレビ電話通信モードと、ディスプレーを使用してテレビ放送を受信、閲覧するテレビ放送閲覧モードに切り替える機能を備えた携帯電話機において、前記カメラに入力された画像の焦点ずれ、および明暗偏差を判定する手段と、音声通話モード、テレビ電話通信モード、テレビ放送閲覧モードなどの通信モードを切り替える手段とを備え、テレビ電話中に前記判定結果をもとに、被写体がカメラに近づいたと判定した場合には音声通話モードに切り替え、音声通話中に被写体がカメラから遠ざかったと判定した場合にはテレビ電話通信モードに切り替えるようにしたものである。
【００１２】
本発明によれば、画像の焦点ずれ、および明暗偏差によって被写体とカメラの距離を判定することにより、画像データ全体の光量増減による誤判定を防止することができる。また、本発明は、被写体がカメラに近づいたと判定するための閾値としては、受信電波強度、電池残量ごとに複数の閾値をもち、受信電波強度や電池残量にも関連付けた判定をするようにしている。
【００１３】
従って本発明によれば、携帯電話機の手動操作によらず、カメラに入力された被写体の焦点ずれと明暗偏差によって、テレビ電話通信モード、テレビ放送閲覧モード、音声通話モードを切り替えることが可能となる。さらに被写体が前記カメラに近づいた、または遠ざかった判定に、受信電波強度、電池残量の状態を関係付けることにより、通信品質の低下や電池寿命の低下を適切に抑止することができる。
【発明の効果】
【００１４】
本発明の携帯電話機によれば、音声通話モード、テレビ電話通信モード、テレビ放送閲覧モードなどの通信モードを操作キーによらず、受信電波強度と電池残量による最適な切り替えタイミングのもと、使用者が顔面などを携帯電話に近づいた、または遠ざかったかによって自動的に切替える効果を有する。
【発明を実施するための最良の形態】
【００１５】
以下本発明を実施するための最良の形態について、図面を参照しながら説明する。
【００１６】
（実施の形態１）
図１に本発明の携帯電話機１００の構成をあらわしたブロック図を示す。本発明の携帯電話機１００の構成は、従来の携帯電話機４００と基本的には類似した構成であり、音声通話モード、テレビ電話通信モード、テレビ放送閲覧モードの動作を行うことができる。なお、説明を簡単にするために、図５で示した従来の携帯電話機４００と同じ部分については同じ符号を付けて説明を省略する。
【００１７】
無線部４０８は基地局から発信される電波を受信し、所望の信号に変換したあと呼処理制御部４０６に該信号を伝える。また呼処理制御部４０６で生成された発信信号を受け、該発信信号を所望の電波で基地局に送出する。呼処理制御部４０６は、全体制御部４０７または状態管理部１０９からの指示により、音声通話モード、テレビ電話通信モード、テレビ放送閲覧モード、終話モードを選択する。
【００１８】
携帯電話機１００の構成が従来と異なる点は、従来の構成に加えて、新たに携帯電話機１００の使用状態を管理する状態管理部１０９を設けたことである。携帯電話機１００では、フレームメモリ４０２を状態管理部１０９に接続し、状態管理部１０９を表示制御部４０５および呼処理制御部４０６にそれぞれ接続している。そのため、カメラ４０１で撮像した画像データは、フレームメモリ４０２に一次保存され、状態管理部１０９を経由して表示制御部４０５に送られ、ディスプレー４０３に表示される。状態管理部１０９は、カメラ４０１で撮像した画像データを分析して、カメラ４０１に被写体が至近距離に接近したか、離れたかを判定し、携帯電話機１００の使用状態がどのようになっているかを求める。
【００１９】
全体制御部４０７は、人の手により操作される操作キー４０４からの信号を受け、呼処理制御部４０６と表示制御部４０５に制御信号を送出する。表示制御部４０５は全体制御部４０７と状態管理部１０９からの制御信号を受け、ディスプレー４０３に適切な画像データを送出する。ディスプレー４０３は前記画像データを画像として表示する。携帯電話機に装着されたカメラ４０１で撮像、生成されたフレーム信号は、フレームメモリ４０２に一旦格納される。前記フレームメモリ４０２に格納されたフレーム信号である画像データは、ただちに状態管理部１０９に送出される。状態管理部１０９は、画像データの焦点ずれ、明暗偏差を正規化した数値に置換する。画像データの焦点ずれは、例えばコントラスト信号をハイパスフィルターなどを用いて微分演算し、演算データから正規化された数値に置換される。明暗偏差は、例えば画像データから中央および周辺の輝度差を求め、差分データから正規化された数値に置換する。
【００２０】
状態管理部１０９は、あらかじめ所持している閾値データと比較することで被写体がカメラ４０１に対して至近距離に近づいたか、遠ざかったかを判定する。状態管理部１０９は、判定結果を音声通話モード、テレビ電話通信モード、テレビ放送閲覧モードを選択する制御信号に変換し、呼処理制御部４０６に送出する。呼処理制御部４０６は、前記制御信号により音声通話モード、テレビ電話通信モード、テレビ放送閲覧モードを択一的に選択する。呼処理制御部４０６は、状態管理部１０９から送出されてきた制御信号により、全体制御部４０７に新たに選択した通信モードに切り替えることを伝え、無線部４０８により、新たな通信モードによる通信を開始する。そして、通信モードの切り替えが完了すると、呼処理制御部４０６は全体制御部４０７に新たな通信モードでの制御を行うように指示する。
【００２１】
なお、状態管理部１０９は呼処理制御部４０６に制御信号を送出すると同時に表示制御部４０５にも制御信号を送出する。そのため、表示制御部４０５は通信モードが切り替わるまで、例えば「通信モード切替中」というメッセージをディスプレー４０３に表示する。携帯電話機１００は、携帯電話機１００の使用者が顔を離してテレビ電話通信モードで通信している状態から、使用者が携帯電話機１００を顔に近づけて耳に当てたとすれば、カメラ４０１からフレームメモリ４０２に一次的に保存された画像データを状態管理部１０９が分析し、被写体がカメラ４０１に至近距離に近づいたと判定する。このことにより、テレビ電話通信モードの使用状態から、耳を携帯電話機１００に当てて通話する音声通話モードの使用状態に変化したと判断し、自動的に通信モードを音声通話モードに切り替える。
【００２２】
逆に、携帯電話機１００の使用者が耳を携帯電話機１００に当てて通話していた状態から、耳を携帯電話機１００から離すと、音声通話モードで通信していた状態から携帯電話機１００の使用者が耳を離して通話するテレビ電話通信モードの使用状態に変化したと判定して、音声通話モードからテレビ電話通信モードに切り替える。このように、通話途中の携帯電話機１００の使用状態の変化に応じてテレビ電話通信モードと音声通話モードが自動的に切り替わるので、従来のようにキー操作をすることがなく、通信モードが自動的に切り替わる使い勝手の良い携帯電話機が得られる。
【００２３】
また、図示していないが、携帯電話機１００の状態管理部１０９には記憶保持部を設けている。状態管理部１０９の記憶保持部には、カメラ４０１に被写体が接近したか、遠ざかったかを判定する所定の判定手順を記憶するとともに、通信モードの切り替え履歴を逐次記憶するようにしてある。そのため、所定の判定手順に沿って判定を行う際に、通信モードの切り替え履歴を参照して、以前動作させていた通信モードに戻すことができるようにしている。
【００２４】
例えば、携帯電話機１００の使用者が、テレビ放送閲覧モードを選択してディスプレー４０３に表示されたテレビ放送画面を見ている際に、着信を受け、使用者が耳を携帯電話機１００に当てたとすれば、カメラ４０１からフレームメモリ４０２に一次的に保存された画像データを状態管理部１０９が分析し、被写体がカメラ４０１に至近距離に近づいたと判定する。このとき、携帯電話機１００は、通信モードをテレビ放送閲覧モードから音声通話モードに切り替えるのであるが、切り替えると同時に、テレビ放送閲覧モードから音声通話モードに切り替わったという履歴を記憶する。そして通話中に携帯電話機１００の使用者が耳を携帯電話機１００から離すと、通話が終わったとして音声通話を終話するのであるが、先に記憶した通信モード切替履歴を参照することにより、終話して、更に、音声通話モードの前の通信モードであったテレビ放送閲覧通信モードに切り替える。このように、通話途中の携帯電話機１００の使用状態の変化に応じてテレビ放送閲覧モードと音声通話モードを自動的に切り替えることができ、従来のように、キー操作をすることがなく使い勝手の良い携帯電話機として使用することができる。
【００２５】
なお、上記の説明では、音声通話モード、テレビ電話通信モードとテレビ放送閲覧モードの３つの通信モードの切り替えについて説明したが、電子メール、インターネット通信の他、ゲーム、計算機などのアプリケーション実行モードをふくめた形で、携帯電話１００の状態管理部の判定により動作モードを切り替えるようにしてもよい。このことにより、テレビ放送閲覧モードのほかに電子メール、インターネット通信、ゲーム、計算機などのアプリケーション実行中も同様に、着信があればアプリケーションの実行を一時的に止めて音声通話を開始し、音声通話を終話した後、通話モードを切り替えた履歴を参照することにより、電子メール、インターネット通信、ゲーム、計算機などの音声通話をする前のアプリケーション実行中の状態に戻すことができる。
【００２６】
（実施の形態２）
次に本発明の第二の実施の形態にかかる携帯電話機２００について説明する。携帯電話機２００は、先に説明した携帯電話機１００の構成に、更に電池残量検出部２１０を設け、状態管理部２０９に携帯電話機本体の電池残量のレベルや電波強度のレベルに対応した閾値を求める閾値テーブルを設け、閾値テーブルを用いて通信モードを切り替えている点に特徴がある。
【００２７】
図２に、本発明の携帯電話機２００のブロック図を示す。電池残量検出部２１０は、状態管理部２０９に接続している。電池残量検出部２１０は、携帯電話機２００の図示していない充電電池の電池残量を検出し、電池残量の情報を状態管理部２０９に送出する。携帯電話機２００の状態管理部２０９には閾値テーブルを持ち、閾値テーブルには複数の電池残量のレベルと複数の電池残量のレベルのそれぞれに対応した閾値を記憶してある。状態管理部２０９は、電池残量のレベルに応じて、通信モードを切り替える閾値の値を選ぶ。状態管理部２０９は、カメラ４０１で撮像し、フレームメモリ４０２に一次的に保存した画像データを電池残量のレベルに対応した閾値と比較し、被写体がカメラ４０１に近づいたか離れたかを判定する。このことにより、電池残量が少ないときには閾値を変えて、消費電力の多いテレビ電話通信モードなどに切り替えにくくしている。
【００２８】
一方、状態管理部２０９の閾値テーブルには、携帯電話機２００の無線部４０８で受信する電波の複数の電波強度レベルと複数の電波強度レベルに応じたそれぞれの閾値を記憶しており、状態管理部２０９は、電波強度のレベルに応じて、通信モードを切り替える閾値の値を選ぶ。状態管理部２０９は、カメラ４０１で撮像し、フレームメモリ４０２に一次的に保存した画像データを電波強度のレベルに対応した閾値と比較し、被写体がカメラ４０１に近づいたか離れたかを判定する。このことにより、電波強度が弱いときには閾値を変えて、通信品質が劣化しやすいテレビ電話通信モードに切り替えにくくしている。すなわち、無線部４０８で計測される電波強度を表す信号は数値化され、呼処理制御部４０６に伝送される。呼処理制御部４０６はこの信号を状態管理部２０９に転送する。呼処理制御部４０６から送信される電波強度を表す信号を状態管理部２０９が受け、状態管理部２０９内に格納された複数の閾値の中から、電波強度に応じて最適な閾値を選択する。
【００２９】
図３に閾値テーブルの概念図を示す。図３は、状態管理部２０９が被写体焦点ずれ、および明暗偏差を判定するための閾値テーブル３００の構成を示している。閾値テーブル３００では、受信電波のレベル「強」３０１に閾値「高」３１１を対応付けて記憶し、同じく受信電波のレベル「中」３０２に閾値「中」３１２を対応付けて記憶し、受信電波のレベル「弱」３０３に対応して閾値「低」３１３を対応付けて記憶している。一方、電池残量のレベル「高」３２１に対して閾値「高」３３１を対応付けて記憶し、電池残量のレベル「中」３２２に対して閾値「中」３３２を対応付けて記憶し、電池残量のレベル「低」３２３に対して閾値「低」３３３を対応付けて記憶している。上記のように、状態管理部１０９に格納された閾値テーブル３００には使用者の顔面がカメラ４０１に近づいた、または使用者の顔面がカメラ４０１に遠ざかったことを判定する閾値を、受信電波強度や電池残量ごとに複数段階持ち、受信電波強度が低いほど音声通話に切り替わりやすい閾値が選択される。また、電池残量が低いほど音声通話に切り替わりやすい閾値が選択される。
【００３０】
携帯電話機２００では、電池残量と受信電波強度の両方のレベルに基づいて閾値を選ぶこととして、状態管理部２０９が携帯電話機２００に受信した電波強度を受け取り、また、電池残量検出部２１０で電池電圧値を読みとった電池残量のデータを受け取り、それらの値により電波強度と電池残量の複数の閾値データから一組の閾値、例えば閾値の「高」と「高」、「高」と「中」、「中」と「低」というような閾値の組み合わせとして選択する。
【００３１】
なお、閾値テーブル３００の閾値は、被写体焦点ずれ、および明暗偏差を正規化した数値と比較する際、高いと判断する場合と低いと判断する場合、それぞれ別の値を持たせることにより、各々の閾値の間にヒステリシスを持たせることができる。
【００３２】
次に、携帯電話機２００の動作を説明する。図４は携帯電話機２００の状態管理部２０９において、入力画像の焦点ずれや明暗偏差から好適な通信モードを判定し、切り替える手順をフロー図として示したものである。
【００３３】
カメラの画像データがフレームメモリ４０２に入力されると（Ｓ３００）、状態管理部２０９では切替機能オン／オフ判定ステップにより携帯電話機２００の全体制御部に設定されている通信モードの自動切り替え設定状態がオンになっているかオフになっているかを確認する（Ｓ３０１）。通信モードの自動切り替え設定状態がオフであれば、通信モードの自動切り替え動作は行わない（Ｓ３２０）。
【００３４】
通信モードの自動切り替え設定モードがオンであれば通信モードの自動切り替え動作を行う。ステップＳ３０１で通信モードの自動切り替え設定状態がオンになっていた場合、焦点ずれ結果数値化処理ステップが処理され、カメラ画像データの焦点ずれについて数値化される（Ｓ３０２）。さらに明暗偏差結果数値化処理ステップによって明暗の偏差について数値化される（Ｓ３０３）。その後、閾値選択処理ステップにより携帯電話機２００の受信電波状態および電池残量により一組の閾値を比較対象に選択し（Ｓ３０４）、焦点ずれ、明暗偏差の閾値に対する代償比較を実施する画像判定処理ステップを行う（Ｓ３０５）。使用者の顔面がカメラ４０１に近づくと、それまで撮像していた画像データに対し、被写体の焦点ずれが発生し、さらに画像全体の明暗偏差が著しく低くなる。この場合、使用者の顔面がカメラに著しく近づいたと判断して、判定処理ステップ（Ｓ３０６）に進む。判定処理ステップ（Ｓ３０６）では現在動作中の通信モードが確認される。現在動作中の通信モードがテレビ電話通信モードであれば音声通話モードに切り替える（Ｓ３０７）。判定処理ステップ３０６で現在の通信モードがテレビ放送閲覧中で、かつ着信中のモードと判断された場合は、音声通話に切り替える（Ｓ３０８）。判定処理ステップ３０６で現在の通信モードがテレビ電話通信モードでなく、テレビ放送閲覧中で着信中でもなければ、通信モード切り替えの動作を終了する（Ｓ３０９）。
【００３５】
また使用者の顔面がカメラ４０１から遠ざかると被写体焦点ずれがなくなり、さらに画像全体の明暗偏差が拡大する。この場合、画像判定処理ステップＳ３０５では使用者の顔面がカメラから遠ざかったと判断して、判定処理ステップＳ３１０に進む。判定処理ステップＳ３１０では現在の通信モードが確認される。通信モードが音声通話モードだった場合、本判定によりテレビ電話通信モードに切り替わる（Ｓ３１１）。ステップＳ３１０で、通信モードが音声通話が既に終話していた場合、状態管理部２０９の図示しない記憶保持部の通信モード切替履歴を参照し、終話した音声通話モードの前がテレビ放送閲覧モードであったときはテレビ放送閲覧モードに切り替える（Ｓ３１９）。ステップＳ３１０で、通信モードが前記二つの場合以外は、通信モードの切り替え動作を終了する（Ｓ３１２）。ステップＳ３０７、Ｓ３０８、Ｓ３０９、Ｓ３１１、Ｓ３１２、Ｓ３１９、Ｓ３２０の各手順がそれぞれ完了すると、切替機能オン／オフ判定ステップＳ３０１の設定確認動作に戻り、図４のフローの各ステップの動作を継続する。そのため、携帯電話機２００の電池残量が少なくなったり、電波強度が低くなったりすると、ステップＳ３０４でその状況に応じた閾値をその都度選択するので、電池残量が残り少なくなったり、電波強度が極端に低くなったときにテレビ電話通信モードであれば、カメラ４０１から被写体が離れていても、音声通話モードに自動的に切り替わるようにしている。
【００３６】
以上説明したように、電池残量と電波強度のレベルに対応して閾値を選択し、携帯電話機に顔が接近したか、遠ざかったかによって携帯電話機の通信モードを自動的に切り替え
ることが出来る。また、テレビ放送閲覧中に着信があったときに、携帯電話機を耳に当てれば、音声通話モードに切り替わり、耳から携帯電話を離せば、再びテレビ放送閲覧モードに戻すこともできるようにしている。
【産業上の利用可能性】
【００３７】
本発明にかかる携帯電話機は、通信モードを操作キーによらず、携帯電話機のテレビ電話通信用のカメラからの画像により、携帯電話機の使用状態を判定して、判定結果に基づいて通信モードを自動的に切り替えることができる。また、それだけでなく、受信電波強度と電池残量についての携帯電話機本体の状態に応じて通信モードを自動的に切り替えるための閾値を変えて判定することを可能にしているため、状況に応じてより好ましい携帯電話機の各種通信モードの切替えを電話機本体を操作することなく行う携帯電話機に適用できる。
【図面の簡単な説明】
【００３８】
【図１】本発明の第一の実施の形態にかかる携帯電話機のブロック図
【図２】本発明の第二の実施の形態にかかる携帯電話機のブロック図
【図３】本発明の第二の実施の形態にかかる携帯電話機の閾値テーブルの概念図
【図４】本発明の第二の実施の形態にかかる携帯電話機の通信モード切り替えの動作を示すフロー図
【図５】従来の携帯電話機の構成をあらわすブロック図
【符号の説明】
【００３９】
１００、２００  携帯電話機
１０９、２０９  状態管理部
２１０  電池残量検出部
３００  閾値テーブル
４０１  カメラ
４０２  フレームメモリ
４０３  ディスプレー
４０４  操作キー
４０５  表示制御部
４０６  呼処理制御部
４０７  全体制御部
４０８  無線部
【図１】
2007228351.tif 000003
【図２】
2007228351.tif 000004
【図３】
2007228351.tif 000005
【図４】
2007228351.tif 000006
【図５】
2007228351.tif 000007